(57)【特許請求の範囲】
【請求項１】
直方体状の紙箱において、該紙箱の蓋部が、蓋面板と、該蓋面板の左右に連設した斜め４５度の谷折り線を有する折込み蓋板と、前記蓋面板の対向する位置に設けた差し込み蓋面板よりなり、該差し込み蓋面板の左右端に繋止突起を設けて、前記、蓋面板の左右端の折込み蓋板を連設した折り目線上に前記繋止突起を繋止する繋止孔を設けたことを特徴とする開閉が容易な紙箱。
【請求項２】
前記差し込み蓋面板の先端に、指掛け切欠きを設けたことを特徴とする請求項１記載の開閉が容易な紙箱。
【請求項３】
前記差し込み蓋面板の先端に、つまみ片を設けたことを特徴とする請求項１記載の開閉が容易な紙箱。
【発明の詳細な説明】
【０００１】
【発明の属する技術分野】
本発明は、チョコレート・スナック菓子類や装飾品・日用小物類などを幅広く収容して、折込み蓋板を折込んで形成した蓋面板と折込み蓋板との隙間に差し込み蓋面板を挿入してスライドさせて閉蓋する開閉が容易な紙箱の改良に関する。
【０００２】
【従来の技術】
従来から、チョコレート・スナック菓子類や装飾品・日用小物類などを幅広く収容する、図３に示すような、蓋面板２１と、それぞれ斜め４５度の２本の谷折り線（符号がない破線；以下同じ）を有する左右の折込み蓋板２２・２２と、蓋面板２１の対向する位置に設けた差し込み蓋面板２０とよりなる蓋部２と、側面板３０・３０・３０・３０と、糊代片３３と、通常の貼着式の底面板群４０・４０・４０・４０を、それぞれ貼着して、蓋面を開放した直方体状に製箱した後に、図３Ｂ・Ｃに示すように、折込み蓋板２２・２２を折込んで形成した蓋面板２１と折込み蓋板２２・２２との隙間に、差し込み蓋面板２０を挿入してスライドさせて閉蓋する開閉が容易な紙箱（例えば特公昭４１−１１８３６号を参照）が、一般に広く用いられている。
【０００３】
【発明が解決しようとする課題】
ところが従来の、図３に示す開閉が容易な紙箱については、チョコレート・スナック菓子類や装飾品・日用小物類などを幅広く収容して、折込み蓋板２２・２２を折込んで形成した蓋面板２１と折込み蓋板２２・２２との隙間に、差し込み蓋面板２０を挿入して、簡単にスライドさせて閉蓋できる、また図３Ｄに示すように、蓋面板２１の左右端に挟み込むように指を掛けて、差し込み蓋面板２０と蓋面板２１とを浮き上がらせて、簡単に引き起して開蓋できる、蓋部２を有する開閉が容易な紙箱であるものの、簡単にスライドさせて閉蓋した時に、差し込み蓋面板２０と蓋面板２１・折込み蓋板２２・２２との摩擦だけで、特に差し込み蓋面板２０と蓋面板２１との繋止構造を持たないために、誤って開蓋する恐れがあることが問題であって、通常は差し込み蓋面板２０と蓋面板２１とを、図示していない粘着シールや接着剤などで貼着して、一般に広く用いられている。
【０００４】
ところで本発明の目的は、折込み蓋板２２・２２を折込んで形成した蓋面板２１と折込み蓋板２２・２２との隙間に、差し込み蓋面板２０を挿入して簡単にスライドさせて差し込み蓋面板２０と蓋面板２１とを繋止して閉蓋できる、また蓋面板２１の左右端に挟み込むように指を掛けて、差し込み蓋面板２０と蓋面板２１との繋止を解除して浮き上がらせて、簡単に引き起して開蓋できる、誤って開蓋する恐れがない蓋部２を有する開閉が容易な紙箱を提供することにある。
【０００５】
【課題を解決するための手段】
本発明の開閉が容易な紙箱は、直方体状の紙箱において、紙箱の蓋部２が、蓋面板２１と、蓋面板２１の左右に連設した斜め４５度の谷折り線を有する折込み蓋板２２・２２と、前記蓋面板２１の対向する位置に設けた差し込み蓋面板２０よりなり、図１、図２に示すように、差し込み蓋面板２０の左右端に繋止突起ａ・ａを設けて蓋面板２１の左右端の折込み蓋板２２・２２を連設した折り目線上に繋止突起ａ・ａを繋止する繋止孔ｂ・ｂを設けた開閉が容易な紙箱である。
【０００６】
加えて、本発明の開閉が容易な紙箱は、前述した開閉が容易な紙箱において、図１に示すように、差し込み蓋面板２０の先端に指掛け切欠きｃを設けた開閉が容易な紙箱である。
【０００７】
また加えて、本発明の開閉が容易な紙箱は、前述した開閉が容易な紙箱において、図２に示すように、差し込み蓋面板２０の先端につまみ片ｄを設けた開閉が容易な紙箱である。
【０００８】
【作用】
本発明の開閉が容易な紙箱においては、図３に示す従来と同様の開閉が容易な紙箱において、差し込み蓋面板２０の左右端に繋止突起ａ・ａを設けて、蓋面板２１の左右端の折込み蓋板２２・２２を連設した折り目線上に繋止孔ｂ・ｂを設けたことによって、図１Ｂ・Ｃ・図２Ｂ・Ｃに示すように、折込み蓋板２２・２２を折込んで形成した蓋面板２１と折込み蓋板２２・２２との隙間に差し込み蓋面板２０を挿入して、簡単にスライドさせて差し込み蓋面板２０の繋止突起ａ・ａと蓋面板２１の繋止孔ｂ・ｂとを繋止して閉蓋できる。また図１Ｄ・図２Ｄに示すように、蓋面板２１の左右端の繋止孔ｂ・ｂに挟み込むように指を掛けて差し込み蓋面板２０の繋止突起ａ・ａと蓋面板２１の繋止孔ｂ・ｂとの繋止を解除して浮き上がらせて簡単に引き起して開蓋できる。しかも差し込み蓋面板２０の繋止突起ａ・ａと蓋面板２１の繋止孔ｂ・ｂとを繋止したために、誤って開蓋する恐れがない蓋部２を有する開閉が容易な紙箱を提供することができる。
【０００９】
加えて、本発明の開閉が容易な紙箱においては、前述した開閉が容易な紙箱において、差し込み蓋面板２０の先端に、指掛け切欠きｃを設けたことによって、図１Ｄに示すように、蓋面板２１の左右端の繋止孔ｂ・ｂに挟み込むように指を掛けて、差し込み蓋面板２０の繋止突起ａ・ａと蓋面板２１の繋止孔ｂ・ｂとの繋止を解除して浮き上がらせて、浮き上がった差し込み蓋面板２０の指掛け切欠きｃに指を掛けて、より簡単に引き起して開蓋できる、誤って開蓋する恐れがない蓋部２を有する開閉が容易な紙箱を提供することができる。
【００１０】
また加えて、本発明の開閉が容易な紙箱においては、前述した開閉が容易な紙箱において、差し込み蓋面板２０の後端部に、つまみ片ｄを設けたことによって、図２Ｄに示すように、蓋面板２１の左右端の繋止孔ｂ・ｂに挟み込むように指を掛けて、差し込み蓋面板２０の繋止突起ａ・ａと蓋面板２１の繋止孔ｂ・ｂとの繋止を解除して浮き上がらせて、浮き上がった差し込み蓋面板２０のつまみ片ｄを指でつまんで、より簡単に引き起して開蓋できる、しかも図２Ｂ・Ｃに示すように、折込み蓋板２２・２２を折込んで形成した蓋面板２１と折込み蓋板２２・２２との隙間に、差し込み蓋面板２０を挿入して（つまみ片ｄは挿入しない）、簡単にスライドさせて差し込み蓋面板２０の繋止突起ａ・ａと蓋面板２１の繋止孔ｂ・ｂとを繋止して閉蓋した時に、差し込み蓋面板２０のつまみ片ｄが蓋面板２１の上面を押えているために、より確実に閉蓋できる、誤って開蓋する恐れがない蓋部２を有する開閉が容易な紙箱を提供することができる。
【００１１】
【発明の実施の形態】
本発明の開閉が容易な紙箱については、後述する実施例に示すように、通常の印刷をした適宜の板紙などを用いて、通常の打抜型を用いた打抜工程で、工程が簡単な１枚物の開閉が容易な紙箱のブランクを作製して、通常の機械的なサック貼り製箱工程で、糊代片３３を側面板３０に貼着するなどして、蓋面を開放した直方体状に製箱した後に、簡単な手作業で、折込み蓋板２２・２２を折込んで形成した蓋面板２１と折込み蓋板２２・２２との隙間に、差し込み蓋面板２０を挿入してスライドさせて閉蓋できる、工程が簡単で作製費用が廉価な蓋部２を有する開閉が容易な紙箱を提供することができる。
【００１２】
【実施例】
＜実施例１＞
図１Ａは、本発明の実施例１における、開閉が容易な紙箱のブランクの平面図であって、また図１Ｂ・Ｃ・Ｄは、本発明の実施例１における、開閉が容易な紙箱の斜視図である。
【００１３】
すなわち、蓋面板２０と、それぞれ斜め４５度の谷折り線を有する折込み蓋板２２・２２と、差し込み蓋面板２０を有する蓋部２と、側面板３０・３０・３０・３０と、糊代片３３と、通常の貼着式の底面板群４０・４０・４０・４０とを、それぞれ折り目線を介して連設して、差し込み蓋面板２０の左右端に、偏平横Ｕ字状の繋止突起ａ・ａを設けて、蓋面板２１の左右端の折込み蓋板２２・２２を連設した折り目線上に、縦長長方形状の繋止孔ｂ・ｂを設けて、加えて差し込み蓋面板２０の先端に、Ｕ字状の指掛け切欠きｃを設けた、図１Ａに示す開閉が容易な紙箱のブランクであって、通常の印刷をした３５０ｇ／ｍ2 の、耐油性などを付与した裏白コートボール紙を用いて、通常の打抜型を用いた打抜工程で、収容部の縦・横・高さが８×８×１０ｃｍの工程が簡単な１枚物の開閉が容易な紙箱のブランクを作製した。
【００１４】
次に、図１Ａに示す開閉が容易な紙箱のブランクの、全ての符号がない１点鎖線で示す折り目線を山折り（印刷をした表面側が山になる；以下同じ）して、通常の機械的なサック貼り製箱工程で、糊代片３３を対向する側面板３０に貼着して、同時に底面板群４０・４０・４０・４０をそれぞれ貼着して、蓋部２を開放した直方体状に製箱した後に、内容物であるチョコレート菓子を収容して、簡単な手作業で、図１Ｂ・Ｃに示すように、折込み蓋板２２・２２を（２本の符号がない破線で示す谷折り線を谷折り（表面側が山になる；以下同じ）して）折込んで形成した蓋面板２１と折込み蓋板２２・２２との隙間に、差し込み蓋面板２０を挿入してスライドさせたところ、簡単に差し込み蓋面板２０の繋止突起ａ・ａと蓋面板２１の繋止孔ｂ・ｂとを繋止して閉蓋できる、開閉が容易な紙箱を得ることができた。
【００１５】
続いて、図１Ｄに示すように、蓋面板２１の左右端の繋止孔ｂ・ｂに挟み込むように指を掛けて内側に押さえると、差し込み蓋面板２０の先端に指掛け切欠きｃが設けられているので、差し込み蓋面板２０が内側に簡単に撓むので、差し込み蓋面板２０の繋止突起ａ・ａと蓋面板２１の繋止孔ｂ・ｂとの繋止の解除が容易にできる。加えて、繋止の解除され差し込み蓋面板２０の指掛け切欠きｃに指を掛けることによって、より簡単に引き起して開蓋できる、しかも差し込み蓋面板２０の繋止突起ａ・ａと後蓋面板２１の繋止孔ｂ・ｂとを繋止したために、誤って開蓋する恐れがない開閉が容易な紙箱を得ることができた。
【００１６】
＜実施例２＞
図２Ａは、本発明の実施例２における、開閉が容易な紙箱のブランクの平面図であって、また図２Ｂ・Ｃ・Ｄは、本発明の実施例２における、開閉が容易な紙箱の斜視図である。
【００１７】
すなわち、蓋面板２１と、それぞれ斜め４５度の２本の谷折り線を有する折込み蓋板２２・２２と、差し込み蓋面板２０とを有する蓋部２と、側面板３０・３０・３０・３０と、糊代片３３と、テーネス貼りと通称するオートロック式の底面板群４０・４０・４０・４０とを、それぞれ折り目線を介して連設して、実施例１と同様に、差し込み蓋面板２０の左右端に、偏平横Ｕ字状の繋止突起ａ・ａを設けて、蓋面板２１の左右端の折込み蓋板２２・２２を連設した折り目線上に、縦長長方形状の繋止孔ｂ・ｂを設けて、加えて差し込み蓋面板２０の先端に、逆Ｕ字状のつまみ片ｄを設けた、図２Ａに示す開閉が容易な紙箱のブランクであって、実施例１と同様に、通常の印刷をした３５０ｇ／ｍ2の、耐油性などを付与した裏白コートボール紙を用いて、通常の打抜型を用いた打抜工程で、収容部の縦・横・高さが８×８×１０ｃｍの、工程が簡単な１枚物の開閉が容易な紙箱のブランクを作製した。
【００１８】
次に、図２Ａに示す開閉が容易な紙箱のブランクの全ての符号がない１点鎖線で示す折り目線を山折りして、通常の機械的なサック貼り製箱工程で糊代片３３を対向する側面板３０に貼着して、同時に底面板群４０・４０・４０・４０を（２本の符号がない破線で示す谷折り線を谷折りして）それぞれ貼着して、蓋面を開放した直方体状に製箱した後に内容物であるチョコレート菓子を収容して、簡単な手作業で、図２Ｂ・Ｃに示すように、折込み蓋板２２・２２を（４本の符号がない破線で示す谷折り線を谷折りして）折込んで形成した蓋面板２１と折込み蓋板２２・２２との隙間に差し込み蓋面板２０を挿入して（つまみ片ｄは挿入しない）スライドさせたところ実施例１と同様に、簡単に差し込み蓋面板２０の繋止突起ａ・ａと蓋面板２１の繋止孔ｂ・ｂとを繋止して閉蓋できる、しかも図２Ｃに示すように、差し込み蓋面板２０のつまみ片ｄが蓋面板２１の上面を押えているために、より確実に閉蓋できる開閉が容易な紙箱を得ることができた。
【００１９】
続いて、図２Ｄに示すように、蓋面板２１の左右端の繋止孔ｂ・ｂに挟み込むように指を掛けて内側に押さえると、差し込み蓋面板２０の先端にはつまみ片ｄを形成するときにできる切欠きｅ、ｅが設けられているので、差し込み蓋面板２０が内側に簡単に撓むので、差し込み蓋面板２０の繋止突起ａ・ａと蓋面板２１の繋止孔ｂ・ｂとの繋止の解除が容易にできる。加えて、繋止の解除された差し込み蓋面板２０のつまみ片ｄを指でつまむことによって、より簡単に引き起して開蓋できる、しかも差し込み蓋面板２０の繋止突起ａ・ａと蓋面板２１の繋止孔ｂ・ｂとを繋止したために、誤って開蓋する恐れがない開閉が容易な紙箱を得ることができた。
【００２０】
また、本実施例の開閉が容易な紙箱においては、実施例１の底面板群４０・４０・４０・４０を、テーネス貼りと通称するオートロック式の底面板群４０・４０・４０・４０にしたことによって、糊代片３３を側面板３０に貼着して、同時に底面板群４０・４０・４０・４０をそれぞれ貼着した後に、平板状に折畳んだ状態で保管できる、また内容物であるチョコレート菓子を収容する時に、ワンタッチで蓋部２を開放した直方体状に製箱できる、さらにチョコレート菓子を取出した後に、簡単に平板状に折畳んで嵩張らない状態で保管できる、保管や再利用などが容易な開閉が容易な紙箱を得ることができた。
【００２１】
【発明の効果】
以上、作用及び実施例に示すとおり、本発明の開閉が容易な紙箱においては、前述した従来と同様の開閉が容易な紙箱において、差し込み蓋面板の左右端に、繋止突起を設けて、蓋面板の左右端の折込み蓋板を連設した折り目線上に、繋止孔を設けたことによって、折込み蓋板を折込んで形成した蓋面板と折込み蓋板との隙間に、差し込み蓋面板を挿入して、簡単にスライドさせて差し込み蓋面板の繋止突起と蓋面板の繋止孔とを繋止して閉蓋できる、また蓋面板の左右端の繋止孔に挟み込むように指を掛けて、差し込み蓋面板の繋止突起と蓋面板の繋止孔との繋止を解除して浮き上がらせて、簡単に引き起して開蓋できる、しかも差し込み蓋面板の繋止突起と蓋面板の繋止孔とを繋止したために、誤って開蓋する恐れがない開閉が容易な紙箱を提供することができる。
【図面の簡単な説明】
【図１】本発明の実施例１における、図１Ａは、開閉が容易な紙箱のブランクの平面図であって、また図１Ｂ・Ｃ・Ｄは、開閉が容易な紙箱の斜視図である。
【図２】本発明の実施例２における、図２Ａは、開閉が容易な紙箱のブランクの平面図であって、また図２Ｂ・Ｃ・Ｄは、開閉が容易な紙箱の斜視図である。
【図３】図３Ａは、従来の開閉が容易な紙箱のブランクの平面図であって、また図３Ｂ・Ｃ・Ｄは、従来の開閉が容易な紙箱の斜視図である。
【符号の説明】
２              …蓋部
２０              …差し込み蓋面板
２１              …蓋面板
２２              …折込み蓋板
３０              …側面板
３３              …糊代片
４０              …底面板
ａ                …繋止突起
ｂ                …繋止孔
ｃ                …指掛け切欠き
ｄ                …つまみ片
ｅ                …切欠き
【図１】
0003921757.tif 000002
【図２】
0003921757.tif 000003
【図３】
0003921757.tif 000004